(57)【特許請求の範囲】
【請求項１】
洗い場を備えた防水パンと、前記防水パンの洗い場に隣接して設置され上端外周部に外側に延びるフランジ部が形成された浴槽と、前記防水パンの洗い場における前記浴槽側の縁部と前記浴槽のフランジ部との間に取り付けられるエプロンとを備えたエプロンの取付構造であって、前記浴槽またはその近傍における前記防水パンの洗い場側の部分に、前記エプロンの下部側部分を所定の高さに支持するエプロン下部支持部が備わったエプロン取付部材を前記フランジ部の下面に当接させて位置決めし設置するとともに、前記浴槽のフランジ部に前記エプロンの上端部の前後方向の動きを制限して支持するエプロン上端支持部を設け、前記エプロンの下部側部分に、前記エプロン下部支持部に係合可能な下部係合部を設け、前記エプロンの上端に、前記エプロン上端支持部に係合可能な上端係合部を設け、さらに、前記エプロン取付部材を前記フランジ部から下方に延びる棒状体で構成してその下面の少なくとも一部を、前記防水パンの縁部に沿った方向の一方側が他方側よりも高くなった傾斜面に形成し、前記エプロン取付部材の傾斜面と前記防水パンの縁部との間に、上面が前記エプロン取付部材の傾斜面と接面する支持傾斜面に形成された支持部材を前記防水パンの縁部に沿って位置調節可能な状態で設置し、前記支持部材を前記防水パンの縁部に沿って移動させることにより前記支持部材の支持傾斜面を前記エプロン取付部材の傾斜面に接面させて前記エプロン取付部材を支持可能にしたことを特徴とするエプロンの取付構造。
【請求項２】
エプロン下部支持部を、収容部と、前記収容部から外部に突出し押圧されることにより前記収容部内に後退する突出部とで構成し、前記下部係合部を、前記エプロンの裏面に突出して前記収容部の上面に当接する被支持突片と、前記エプロンの下部に設けられ前記突出部に係合可能な係合孔を備えた係合片とで構成した請求項１に記載のエプロンの取付構造。
【発明の詳細な説明】
【技術分野】
【０００１】
本発明は、浴槽のフランジ部と防水パンとの間にエプロンを取り付けるためのエプロンの取付構造に関する。
【背景技術】
【０００２】
従来から、浴槽を設置するための浴槽フロアと上面が洗い場に形成された洗い場フロアとを接続して防水パンを形成し、その防水パンの浴槽フロアと洗い場フロアとが接続された縁部と、浴槽の上端から洗い場側に突出したフランジ部の下面との間にエプロンを取り付けたエプロンの取付構造を備えた浴室がある。このようなエプロンの取付構造におけるエプロンは、浴槽の下部周囲等に配置された配管等を点検したり修理したりする際には取り外す必要があるため、ねじ等によって浴槽や防水パンから着脱可能な状態で取り付けられている（例えば、特許文献１参照）。
【０００３】
前述した従来のエプロンの取付構造におけるエプロンは、上端部に設けられた嵌合部を浴槽のフランジ部の下面に設けられた嵌合凹部に嵌合し、下端部に設けられた被取り付け面を、防水パンの縁部に取り付けられたエプロン取り付け具に雄ねじ具を用いて固定することにより浴槽の側面側に取り付けられている。また、嵌合部の上端には、柔軟性テープ材が装着されており、雄ねじ具の締め付けによりエプロンを上方に押し上げることによって、嵌合部と嵌合凹部とを柔軟性テープ材を介して押し付けるようにしている。これによって、エプロンががたつくことを防止している。
【先行技術文献】
【特許文献】
【０００４】
【特許文献１】特開平８−２２８９５０号公報
【発明の概要】
【０００５】
しかしながら、前述した従来のエプロンの取付構造では、防水パンの縁部に取り付けられたエプロン取り付け具と浴槽のフランジ部との間に、エプロンを一旦設置したのちに雄ねじ具を締め付けることによって浴槽のフランジ部に対するエプロンの高さ調節を行うため、高さ調節のための作業が面倒であるという問題がある。
【０００６】
本発明は、前述した問題に対処するためになされたもので、その目的は、取り付けた後のエプロンの高さを調節する作業が不要になるエプロンの取付構造を提供することである。
【０００７】
前述した目的を達成するため、本発明に係るエプロンの取付構造の構成上の特徴は、洗い場を備えた防水パンと、防水パンの洗い場に隣接して設置され上端外周部に外側に延びるフランジ部が形成された浴槽と、防水パンの洗い場における浴槽側の縁部と浴槽のフランジ部との間に取り付けられるエプロンとを備えたエプロンの取付構造であって、浴槽またはその近傍における防水パンの洗い場側の部分に、エプロンの下部側部分を所定の高さに支持するエプロン下部支持部が備わったエプロン取付部材をフランジ部の下面に当接させて位置決めし設置するとともに、浴槽のフランジ部にエプロンの上端部の前後方向の動きを制限して支持するエプロン上端支持部を設け、エプロンの下部側部分に、エプロン下部支持部に係合可能な下部係合部を設け、エプロンの上端に、エプロン上端支持部に係合可能な上端係合部を設け、さらに、エプロン取付部材をフランジ部から下方に延びる棒状体で構成してその下面の少なくとも一部を、防水パンの縁部に沿った方向の一方側が他方側よりも高くなった傾斜面に形成し、エプロン取付部材の傾斜面と防水パンの縁部との間に、上面がエプロン取付部材の傾斜面と接面する支持傾斜面に形成された支持部材を防水パンの縁部に沿って位置調節可能な状態で設置し、支持部材を防水パンの縁部に沿って移動させることにより支持部材の支持傾斜面をエプロン取付部材の傾斜面に接面させてエプロン取付部材を支持可能にしたことにある。
【０００８】
前述したように構成した本発明に係るエプロンの取付構造によれば、エプロンの下部側部分を所定の高さに支持するエプロン下部支持部が備わったエプロン取付部材をフランジ部の裏面に当接させて位置決めし設置して、エプロンの下部側部分にエプロン下部支持部に係合可能な下部係合部を設けている。また、浴槽のフランジ部にエプロンの上端部の前後方向の動きを制限して支持するエプロン上端支持部を設けて、エプロンの上端にそのエプロン上端支持部に係合可能な上端係合部を設けている。
【０００９】
このため、エプロンの上端係合部をフランジ部のエプロン上端支持部に係合させるとともに、エプロンの下部係合部をエプロン取付部材のエプロン下部支持部に係合させたときには、エプロンの取り付けだけでなく同時に浴槽のフランジ部に対するエプロンの高さ調節も行われている。このため、特に、エプロンの高さ調節を行うための操作が不要になり、エプロンの浴槽への取り付けが容易になる。また、この場合のエプロン取付部材の取り付け場所は、浴槽に限らず浴槽に沿った壁面部や所定の柱等でもよい。
【００１０】
また、このエプロンの取付構造では、エプロン取付部材をフランジ部から下方に延ばして、その下方に支持部材を設け、支持部材を防水パンの縁部に沿って移動させることによりエプロン取付部を支持することができるようにしている。このため、浴槽や防水パンの製造又は施工上のばらつきによって浴槽のフランジ部と防水パンとの間の高さにばらつきが生じていても、支持部材の位置を変えるだけの簡単な操作でエプロン取付部材を安定した状態で支持することができる。
【００１１】
また、本発明に係るエプロンの取付構造の他の構成上の特徴は、エプロン下部支持部を、収容部と、収容部から外部に突出し押圧されることにより収容部内に後退する突出部とで構成し、下部係合部を、エプロンの裏面に突出して収容部の上面に当接する被支持突片と、エプロンの下部に設けられ突出部に係合可能な係合孔を備えた係合片とで構成したことにある。
【００１２】
これによると、エプロンの上端係合部をフランジ部のエプロン上端支持部に係合させ、突出部を押圧して収容部内に後退させた状態で、エプロンの裏面に設けられた被支持突片を収容部の上面に載せて突出部の押圧を解除すると、突出部が外部に突出してエプロンの下部に設けられた係合片の係合孔に係合する。このため、エプロンはエプロン取付部材の収容部に支持されるとともに、突出部と係合孔との係合によってエプロン取付部材から外れることを防止される。これによると、エプロンの下部側のエプロン取付部材への係合が、突出部を押圧した状態で、エプロンを浴槽に近づけて突出部の押圧を解除するだけで済むため極めて簡単になる。また、この場合の突出部が収容部から突出する方向は、下方または両側方の一方とすることが好ましい。
【図面の簡単な説明】
【００１７】
【図１】本発明の一実施形態に係るエプロンの取付構造を備えた浴室の内部を示した斜視図である。
【図２】浴室の内部を示した平面図である。
【図３】図２の３−３断面図である。
【図４】浴槽エプロンを取り付ける前の浴槽と防水パンとの関係を示した斜視図である。
【図５】浴槽と防水パンとに浴槽エプロンを取り付けようとしている状態を示した斜視図である。
【図６】浴槽と防水パンとに浴槽エプロンを取り付けた状態を示した斜視図である。
【図７】浴槽エプロンが取り付けられた状態を浴槽側から見た状態を示した斜視図である。
【図８】浴槽エプロンが取り付けられた状態を防水パン側から見た状態を示した斜視図である。
【図９】浴槽と防水パンとに浴槽エプロンを取り付けようとしている状態を示した断面図である。
【図１０】浴槽と防水パンとに浴槽エプロンを取り付けた状態を示しており、（ａ）は断面図、（ｂ）は（ａ）の領域ｃの拡大図である。
【図１１】浴槽エプロンおよびカウンターエプロンを取り付けるための各部材の配置を示した説明図である。
【図１２】図１１における支持部材の近傍部分を拡大した説明図である。
【図１３】支持部材を示した斜視図である。
【図１４】洗い場カウンターにカウンターエプロンが取り付けられた状態を示した断面図である。
【発明を実施するための形態】
【００１８】
以下、本発明の一実施形態を図面を用いて説明する。図１ないし図３は、同実施形態に係るエプロンの取付構造を備えた浴室１０またはその一部を示している。この浴室１０においては、洗い場を形成する洗い場フロア１１ａと浴槽１２を設置するための浴槽フロア１１ｂとの縁部同士が接続されて防水パン１１が形成され、その防水パン１１の周囲に壁パネル１３ａ，１３ｂ，１３ｃ，１３ｄが設けられている。そして、壁パネル１３ｂには、窓１４や手摺が設けられ、壁パネル１３ｃには洗面用具や入浴用具等を置くための棚１５が設けられている。
【００１９】
また、浴槽１２の上面周縁部における壁パネル１３ｃ側の手前側（洗い場側）の角部には、浴槽１２内に湯や水を入れるための水栓１６が設けられている。そして、浴槽１２の手前における壁パネル１３ｃに沿った部分には、浴槽１２の本体部分の上面周縁部から外部側に延びたフランジ部１２ａよりもやや高さが低くなった洗い場カウンター１７が設けられている。また、壁パネル１３ｃにおける洗い場カウンター１７の上方には鏡やシャワー（図示せず）が設けられ、壁パネル１３ａには浴室１０内に出入りするためのドア（図示せず）が設けられている。
【００２０】
さらに、洗い場フロア１１ａの浴槽フロア１１ｂ側の縁部に沿った部分における略中央には、排水口１８が形成され、その排水口１８の開口部には蓋１８ａが取り付けられている。そして、浴槽１２の洗い場フロア１１ａ側の側面に沿って本発明のエプロンとしての浴槽エプロン２０が取り付けられている。また、防水パン１１における洗い場フロア１１ａと浴槽フロア１１ｂとの縁部は互いに接合された状態で上方に突出した堰部２１に形成されており、浴槽エプロン２０は、この堰部２１と浴槽１２のフランジ部１２ａとの間に取り付けられている。すなわち、図４ないし図８に示したように、堰部２１の両側部分には、それぞれ下端部にエプロン下部支持部２２が取り付けられたエプロン取付部材２３と、下端部にエプロン下部支持部２４が取り付けられたエプロン取付部材２５とが設置されている。
【００２１】
また、浴槽１２のフランジ部１２ａの下面には、図９および図１０に示したエプロン上端支持部２６がそれぞれフランジ部１２ａの延びる方向に間隔を保って３個取り付けられている（図１１参照）。そして、浴槽エプロン２０は、上端部の所定部分をそれぞれ対応するエプロン上端支持部２６に係合させ、下端両部をエプロン下部支持部２２，２４にそれぞれ支持させた状態で堰部２１と浴槽１２のフランジ部１２ａとの間に取り付けられている。
【００２２】
浴槽エプロン２０は、浴槽１２の側面における壁パネル１３ａ側の端部から洗い場カウンター１７の手前側の端部の間に延びる長方形の略平面状の板で構成されている。そして、浴槽エプロン２０の上端部には、浴槽エプロン２０の平面状部分（洗い場側に露出する部分）の上端から一旦後方（浴槽１２側）に延びたのちに屈曲して上方に延びる断面形状がＬ形の上端係合部２７が浴槽エプロン２０の上端縁部全体にわたって形成されている。
【００２３】
また、浴槽エプロン２０の裏面における下部側部分の両側からは、水平板状の被支持突片２８が後方に向って突出しており、浴槽エプロン２０の裏面における下端近傍の両側には、後方に延びたのちに屈曲して下方に延びる断面形状がＬ形の係合片２９が形成されている。そして、この係合片２９の水平部分の中央には係合孔２９ａが形成されている。この被支持突片２８と係合孔２９ａを備えた係合片２９とで本発明の下部係合部が構成される。
【００２４】
エプロン上端支持部２６は、前述したようにフランジ部１２ａの下面に所定間隔を保って、例えば、３個設けられており、各エプロン上端支持部２６は、固定片２６ａと、ガイド片２６ｂと、挟持片２６ｃとで構成されている。固定片２６ａはフランジ部１２ａの下面に固定された板体からなっている。そして、ガイド片２６ｂは固定片２６ａの下面における前後方向（洗い場側から見た前後方向）の略中央から下方に延びる垂直の板体からなっており、浴槽エプロン２０の上端係合部２７をエプロン上端支持部２６に係合させる際に、上端係合部２７の上端部に当接して浴槽エプロン２０を上方にガイドする。
【００２５】
また、挟持片２６ｃは固定片２６ａの下面前端から下方に延びたのちに屈曲して前方に延びる断面形状が略Ｌ形の板体からなっており、その垂直片とガイド片２６ｂの上部側部分との間に上端係合部２７の上端部を挿し込ませて把持することにより浴槽エプロン２０の上端部の前後方向の動きを制限して支持する。このエプロン上端支持部２６に上端係合部２７を係合させたときに、浴槽エプロン２０の平面状の部分の上端は、フランジ部１２ａの前端面を構成する部分の下端部に当接して浴槽エプロン２０とフランジ部１２ａとの間に隙間が生じなくなる。なお、エプロン上端支持部２６は、フランジ部１２ａに一体的に形成することも可能である。
【００２６】
エプロン取付部材２３は、浴槽１２のフランジ部１２ａの下面に当接させて位置決めし、フランジ部１２ａと堰部２１との間に固定した棒体で構成されている。そして、エプロン取付部材２３の上端部は所定の固定部材（図示せず）を介してフランジ部１２ａに固定され、エプロン取付部材２３の下端面は一部を洗い場側に突出させた状態で堰部２１の上部に支持されている。そして、このエプロン取付部材２３の前面における下部側部分にはエプロン下部支持部２２を構成する収容部３１と突出部３２とを備えたラッチ機構が取り付けられている。
【００２７】
すなわち、エプロン取付部材２３は、浴槽エプロン２０の上端部をフランジ部１２ａの下面側に位置させたときに、浴槽エプロン２０の下端部がエプロン下部支持部２２に対応する部分に位置するようにしてフランジ部１２ａと堰部２１との間に固定されている。エプロン下部支持部２２の収容部３１は、上下に隔離された二つの空間部を備えた枠体で構成されており、上下方向の長さが、浴槽エプロン２０の被支持突片２８の下面と係合片２９の上面との間の長さと同じかまたは僅かに短くなっている。
【００２８】
そして、図９に示したように、浴槽エプロン２０を傾けて、エプロン上端支持部２６に浴槽エプロン２０の上端係合部２７を位置させた状態から、浴槽エプロン２０の下部側を浴槽１２に近づけたときに、図１０（ａ）に示したように、収容部３１が被支持突片２８と係合片２９との間に入り込む位置に収容部３１は配置されている。また、収容部３１が被支持突片２８と係合片２９との間に入り込んだときには、浴槽エプロン２０は収容部３１によって所定の高さに支持される。
【００２９】
収容部３１の下部側の空間部にはばね３３が軸方向を上下に向けて収容されており、収容部３１の下端面には、穴部３１ａが形成されている。また、ばね３３の上端部は収容部３１を上下に隔離する壁部の下面に固定され、ばね３３の直径は穴部３１ａの直径よりも大きくなってばね３３は穴部３１ａから下方に突出できなくなっている。そして、ばね３３の下端には、穴部３１ａを挿通可能な短い棒状の突出部３２が連結されており、この突出部３２は、ばね３３の弾性力によって収容部３１の下端面から下方に向かって突出している。この突出部３２は、浴槽エプロン２０の係合孔２９ａ内に入って浴槽エプロン２０の下端部と係合することができる。
【００３０】
また、エプロン取付部材２３の前面におけるエプロン下部支持部２２が設けられた部分以外の部分には、浴槽エプロン２０の側縁部に当接して、エプロン取付部材２３と浴槽エプロン２０との間から水が浸入することを防止するとともに、浴槽エプロン２０とエプロン取付部材２３とが衝突したときの衝撃を和らげるための浸水防止用および緩衝用のシール材３４が貼り付けられている。すなわち、浴槽エプロン２０の両側部分には側壁（図示せず）が形成されており、この側壁の一方がシール材３４を介してエプロン取付部材２３に当接する。
【００３１】
また、浴槽１２の側面における洗い場カウンター１７側に設置されたエプロン取付部材２５は、図１２および図１３に示したように、取付部本体２５ａと、取付部本体２５ａの下端側後部から後方に突出した傾斜面形成部２５ｂとで構成されている。取付部本体２５ａは、上端部を浴槽１２のフランジ部１２ａの下面に当接させて位置決めし配置されており、その下端面は堰部２１の上部における洗い場側部分に位置している。また、傾斜面形成部２５ｂの下面は、堰部２１が延びる方向の壁パネル１３ｃ側が高く壁パネル１３ａ側が低くなった傾斜面に形成されている。
【００３２】
そして、傾斜面形成部２５ｂの下面と堰部２１との間に、エプロン取付部材２５を支持する支持部材３５が設置されている。この支持部材３５は、取付部本体２５ａの下端側部分の後面に沿って上下に延びる支持部材本体３５ａと、支持部材本体３５ａの裏面における上下方向の略中央から斜め後方に延びる支持片３５ｂとで構成されている。この支持部材３５は、支持部材本体３５ａと支持片３５ｂとで堰部２１の上部側部分を挟んだ状態で、堰部２１の長手方向に沿って位置調節可能な状態で固定部材（図示せず）を介して堰部２１に固定されている。
【００３３】
また、支持部材３５の上端面は、堰部２１が延びる方向の壁パネル１３ｃ側が高く壁パネル１３ａ側が低くなった傾斜面、すなわち、傾斜面形成部２５ｂの下面と同じ傾斜方向の傾斜面が形成されている。そして、支持部材３５の上端面に傾斜面形成部２５ｂの下端面を接面させたときに、支持部材３５の支持部材本体３５ａが延びる上下方向と傾斜面形成部２５ｂが延びる上下方向とが平行となるようにして、支持部材３５はエプロン取付部材２５に取り付けられている。また、取付部本体２５ａの下端側部分に取り付けられたエプロン下部支持部２４は、前述したエプロン下部支持部２２と同じ構造からなっており、浴槽エプロン２０の洗い場カウンター１７側の下端部を支持する。
【００３４】
また、洗い場カウンター１７における洗い場側の両側部分にも、それぞれ下端部にエプロン下部支持部３６が取り付けられたエプロン取付部材３７と、下端部にエプロン下部支持部３８が取り付けられたエプロン取付部材３９とが設置されている。エプロン取付部材３７は、エプロン取付部材２５と一体的に形成されており、エプロン取付部材２５の洗い場側の面から前方に向って突出している。
【００３５】
そして、図１４に示したように、エプロン取付部材３７は、下端部を洗い場フロア１１ａの壁パネル１３ｃ側部分に形成されたカウンター設置部１１ｄの洗い場側の縁部に位置させ、上端部をカウンター固定部材４１を介して洗い場カウンター１７の両側に形成された上面部１７ａの浴槽１２側部分に固定させることによって、カウンター設置部１１ｄの浴槽１２側部分における洗い場側の縁部と、それに対向する上面部１７ａの下面部分との間に取り付けられている。
【００３６】
カウンター固定部材４１は、断面形状がＬ形の位置決め部材４１ａと一対のボルト４１ｂ，４１ｃ等で構成されている。そして、カウンター固定部材４１は、Ｌ形の位置決め部材４１ａの一方の片をエプロン取付部材３７の洗い場側の面における上端部にボルト４１ｂを介して固定し、Ｌ形の位置決め部材４１ａの他方の片を上面部１７ａの下面にボルト４１ｃを介して固定することにより、エプロン取付部材３７の上端部と上面部１７ａとを連結している。
【００３７】
エプロン取付部材３７の下端側に取り付けられたエプロン下部支持部３６は、前述したエプロン下部支持部２２，２４と同一形状のもので構成されており、エプロン取付部材３７の前面（洗い場側）におけるエプロン下部支持部３６が設けられた部分以外の部分には、前述したシール材３４と同じ構成のシール材３４ａが貼り付けられている。また、カウンター設置部１１ｄの壁パネル１３ｄ側部分における洗い場側の縁部と上面部１７ａとの間に取り付けられたエプロン取付部材３９およびエプロン取付部材３９の下部側に取り付けられたエプロン下部支持部３８は、前述したエプロン取付部材２３およびエプロン下部支持部２２と同じ部材で構成されている。
【００３８】
そして、エプロン取付部材３９の上端部は、カウンター固定部材４１と同じカウンター固定部材４２を介して上面部１７ａの下面に固定されている。また、上面部１７ａの下面におけるカウンター固定部材４１，４２の洗い場側部分にはカウンター固定部材４１，４２の垂直面と間隔を保ってエプロン上端支持部４３（カウンター固定部材４２側のエプロン上端支持部４３は図示せず）がそれぞれ設けられている。そして、エプロン下部支持部３６，３８と２個のエプロン上端支持部４３とによってカウンターエプロン４４が支持されている。
【００３９】
また、洗い場カウンター１７の両側部分は、それぞれ壁面パネル１３ｄに固定された支持部材４５と壁パネル１３ｃに固定された支持部材４６とによって支持されている。支持部材４５は、壁パネル１３ｃから壁面パネル１３ｄに沿って水平方向に延び先端部がエプロン取付部材３９の上端部に位置する真っ直ぐな棒体で構成されている。また、支持部材４６は、壁パネル１３ｃからエプロン取付部材２５の上端部に向かって水平に延びたのちに屈曲して斜め下方に延びて先端部が壁パネル１３ｃに達している略Ｖ形の部材で構成されている。
【００４０】
カウンターエプロン４４は、洗い場カウンター１７の形状に合わせて形成されているため、大きさおよび中央側部分の形状は浴槽エプロン２０の形状と異なっているが、両側部分の形状は浴槽エプロン２０の両側部分と略同じ形状に形成されている。すなわち、カウンターエプロン４４の上端部には上端係合部２７と同形の上端係合部４７が形成され、カウンターエプロン４４の裏面における両側部分の下端側には、それぞれエプロン下部支持部３６，３８に係合可能な被支持突片４８と、係合孔４９ａを備えた係合片４９とが形成されている。以下、エプロン下部支持部３６，３８等の各部材を構成する部分で符号を用いて説明しなかったものについては、同形の部材が備える部分の符号を用いて説明する。
【００４１】
この構成において、浴槽エプロン２０を浴槽１２に取り付けるとともに、カウンターエプロン４４を洗い場カウンター１７に取り付ける場合には、まず、浴槽エプロン２０の下端部両側に手を掛けて浴槽エプロン２０を持ち上げたのちに、浴槽エプロン２０の上端係合部２７をエプロン上端支持部２６におけるガイド片２６ｂと挟持片２６ｃとの間に位置させて図９の状態にする。つぎに、浴槽エプロン２０の下部側部分を浴槽１２側に近づけながら上端係合部２７をガイド片２６ｂと挟持片２６ｃとの間の奥側（上部側）に差し込んでいく。
【００４２】
ついで、浴槽エプロン２０の下端部両側を持った両手のそれぞれの１本の指で対応するエプロン下部支持部２２，２４の突出部３２をばね３３の弾性に抗して上方に押し上げて収容部３１内に後退させる。その状態で、浴槽エプロン２０の下部側部分を浴槽１２側にさらに近づけて、浴槽エプロン２０の裏面に形成された被支持突片２８と係合片２９との間に収容部３１を挿入させながら突出部３２から指を離す。そして、係合片２９に形成された係合孔２９ａが突出部３２の位置に達したときに、ばね３３の弾性によって突出部３２が係合孔２９ａを挿通して係合片２９の下面から下方に突出する。
【００４３】
これによって、浴槽エプロン２０の下端両部がエプロン下部支持部２２，２４に係合して図１０の状態になる。また、このとき、浴槽エプロン２０の上端係合部２７は、フランジ部１２ａの下面に間隔を保って設置された３個のエプロン上端支持部２６に係合して前後方向の動きが制限されており、浴槽エプロン２０は、エプロン下部支持部２２，２４およびエプロン上端支持部２６から外れることなく、浴槽１２の側面に沿って取り付けられた状態を維持する。
【００４４】
なお、浴槽エプロン２０を浴槽１２に取り付ける際に、エプロン下部支持部２２，２４の突出部３２を指で押し上げることなく、浴槽エプロン２０の下部側部分を浴槽１２側に近づけて突出部３２に浴槽エプロン２０の係合片２９を当接させて押圧することにより突出部３２を押し上げて突出部３２を係合孔２９ａに挿通させ、浴槽エプロン２０を取り付けても良い。この場合、係合片２９の上面を傾斜面に形成する等して、突出部３２と係合孔２９ａとが係合し易くなるようにしておく。
【００４５】
また、点検等のために浴槽エプロン２０を浴槽１２から取り外す必要が生じた場合には、浴槽エプロン２０の下端部両側にそれぞれ手を掛けるとともに、その両手のそれぞれの１本の指で対応するエプロン下部支持部２２，２４の突出部３２をばね３３の弾性に抗して上方に押し上げてそれぞれの突出部３２と係合孔２９ａとの係合を解除させる。その状態で、浴槽エプロン２０の下部側部分を浴槽１２から遠ざけながら上端係合部２７をエプロン上端支持部２６から離していく。これによって、浴槽エプロン２０を浴槽１２から取り外すことができる。
【００４６】
また、洗い場カウンター１７にカウンターエプロン４４を取り付ける場合には、浴槽エプロン２０の取り付けと同様の操作を行う。すなわち、まずカウンターエプロン４４の下端部両側に手を掛けてカウンターエプロン４４を持ち上げる。そして、カウンターエプロン４４の上端係合部４７をカウンター固定部材４１の位置決め部材４１ａとエプロン上端支持部４３との間に挿し込みながら、カウンターエプロン４４の下部側部分を洗い場カウンター１７側に近づけていく。ついで、カウンターエプロン４４の下端部両側を持った両手のそれぞれの１本の指で対応するエプロン下部支持部３６，３８の突出部３２をばね３３の弾性に抗して上方に押し上げて収容部３１内に後退させる。
【００４７】
その状態で、カウンターエプロン４４の下部側部分を洗い場カウンター１７にさらに近づけて、被支持突片４８と係合片４９との間にエプロン下部支持部３６，３８の収容部３１を挿入させながら突出部３２から指を離す。そして、係合片４９の係合孔４９ａが突出部３２の位置に達したときに、ばね３３の弾性によって突出部３２が係合片４９の下面から下方に突出してカウンターエプロン４４の下端両部がエプロン下部支持部３６，３８に係合する。これによって、カウンターエプロン４４は洗い場カウンター１７に取り付けられる。また、洗い場カウンター１７内を点検等するときにも、浴槽エプロン２０を取り外す場合と同様にしてカウンターエプロン４４を取り外す。
【００４８】
以上のように、本実施形態に係るエプロンの取付構造では、エプロン下部支持部２２，２４が備わったエプロン取付部材２３，２５を浴槽１２のフランジ部１２ａの下面に当接させて位置決めし設置して、浴槽エプロン２０の下部両側部分に、被支持突片２８と、係合孔２９ａを備えた係合片２９とからなる下部係合部を設けている。また、フランジ部１２ａの下面に間隔を保ってエプロン上端支持部２６を設けて、浴槽エプロン２０の上端にエプロン上端支持部２６に係合可能な上端係合部２７を設けている。
【００４９】
このため、上端係合部２７をエプロン上端支持部２６に係合させ、浴槽エプロン２０の両下部係合部をエプロン下部支持部２２，２４に係合させたときには、浴槽エプロン２０の取り付けだけでなく同時に浴槽１２のフランジ部１２ａに対する浴槽エプロン２０の高さ調節も行われる。この結果、浴槽エプロン２０の高さ調節を行うための操作が不要になり、浴槽エプロン２０の浴槽１２への取り付けが容易になる。また、浴槽エプロン２０の両下部係合部のエプロン下部支持部２２，２４への係合が、突出部３２を押圧した状態で、浴槽エプロン２０を浴槽１２に近づけて突出部３２の押圧を解除するだけで済むため極めて簡単になる。
【００５０】
また、洗い場カウンター１７に取り付けられるカウンターエプロン４４の取付構造では、エプロン下部支持部３６，３８が備わったエプロン取付部材３７，３９を洗い場カウンター１７の上面部１７ａの下面に固定したカウンター固定部材４１，４２を介して取り付け、カウンターエプロン４４の下部側部分に、被支持突片４８と、係合孔４９ａを備えた係合片４９とからなる下部係合部を設けている。また、洗い場カウンター１７の上面部１７ａの下面にカウンターエプロン４４の上端部の前後方向の動きを制限して支持するエプロン上端支持部４３を設けて、カウンターエプロン４４の上端にそのエプロン上端支持部４３に係合可能な上端係合部４７を設けている。
【００５１】
このため、カウンターエプロン４４の上端係合部４７を洗い場カウンター１７のエプロン上端支持部４３に係合させるとともに、カウンターエプロン４４の下部係合部をエプロン取付部材３７，３９のエプロン下部支持部３６，３８に係合させたときには、カウンターエプロン４４の取り付けだけでなく同時に洗い場カウンター１７に対するカウンターエプロン４４の高さ調節も行われている。このため、特に、カウンターエプロン４４の高さ調節を行うための操作が不要になり、カウンターエプロン４４の洗い場カウンター１７への取り付けが容易になる。このように、洗い場カウンター１７に取り付けられるカウンターエプロン４４やカウンターエプロン４４を支持する取付構造も、浴槽エプロン２０や浴槽エプロン２０を支持する取付構造と略等しい構造にしたため、浴槽エプロン２０だけでなく、カウンターエプロン４４の着脱も容易になる。
【００５２】
本発明に係るエプロンの取付構造は、前述した実施形態に限るものでなく、本発明の技術的範囲内で適宜変更して実施することができる。例えば、前述した実施形態では、エプロン取付部材２３を浴槽１２のフランジ部１２ａに固定しているが、このエプロン取付部材２３は、浴槽１２のフランジ部１２ａの下面に当接させて位置決めした後、壁パネル１３ａに固定してもよい。また、前述した実施形態では、エプロン取付部材２５の下部だけに支持部材３５を設けているが、この支持部材３５は、エプロン取付部材２３，３９にも設けることができる。
【００５３】
さらに、エプロン取付部材２３の上端側に、位置決め用の突起を設けて、エプロン取付部材２３を設置する際に、この位置決め用の突起をフランジ部１２ａの下端部に当接させることにより、エプロン取付部材２３の上端部の位置を決めるようにすることもできる。この場合、エプロン取付部材２３を設置したのちに、位置決め用の突起の先端部がフランジ部１２ａから突出していれば、その突出部分は取り除いておく。また、前述した実施形態では、エプロン取付部材３７，３９を洗い場カウンター１７の上面部１７ａの下面に固定したカウンター固定部材４１，４２を介して取り付けているが、このエプロン取付部材３７，３９は、上端部を洗い場カウンター１７の下面に位置させた状態で所定のカウンター固定部材で固定するようにしてもよい。また、その他の各部材等や各部分の構成についても適宜変更実施が可能である。
【符号の説明】
【００５４】
１１…防水パン、１１ａ…洗い場フロア、１２…浴槽、１２ａ…フランジ部、２０…浴槽エプロン、２１…堰部、２２，２４…エプロン下部支持部、２３，２５…エプロン取付部材、２５ｂ…傾斜面形成部、２６…エプロン上端支持部、２７…上端係合部、２８…被支持突片、２９…係合片、２９ａ…係合孔、３１…収容部、３２…突出部、３５…支持部材。
【図１】
0004813586.tif 000002
【図２】
0004813586.tif 000003
【図３】
0004813586.tif 000004
【図４】
0004813586.tif 000005
【図５】
0004813586.tif 000006
【図６】
0004813586.tif 000007
【図７】
0004813586.tif 000008
【図８】
0004813586.tif 000009
【図９】
0004813586.tif 000010
【図１０】
0004813586.tif 000011
【図１１】
0004813586.tif 000012
【図１２】
0004813586.tif 000013
【図１３】
0004813586.tif 000014
【図１４】
0004813586.tif 000015